(57)【特許請求の範囲】
【請求項１】
軸筒の先端から出没するリフィールと、
前記リフィールの後端に前端が連結されると共に、前記軸筒に設けられたガイドレールに沿って、前記軸筒の中心軸線方向にスライド自在なノック部材と、
前記リフィールの周囲に巻回されるように配置され、一端が前記軸筒に係止されると共に、他端が前記ノック部材に係止されて、前記ノック部材を復帰させる螺旋バネと、を備えた筆記具において、
前記ノック部材には、凹溝状の前記ガイドレール内に入り込んで前記ガイドレール内を摺動するスライド片が突出して形成され、
前記スライド片は、前記ノック部材の長手方向に延在すると共に、前側スライド片と後側スライド片とで前後に二分割されていることを特徴とする筆記具。
【請求項２】
前記前側スライド片の長手方向における後端部は、前記ノック部材の軸線に対して略３０度の傾斜面として形成され、前記後側スライド片の長手方向における前端部は、前記ノック部材の前記軸線に対して略３０度の傾斜面として形成されていることを特徴とする請求項１記載の筆記具。
【発明の詳細な説明】
【技術分野】
【０００１】
本発明は、軸筒の中心軸線方向にスライド自在なノック部材を備えた筆記具に関するものである。
【背景技術】
【０００２】
従来、このような分野の技術として、特開２００５−１１１８７６号公報がある。この公報に記載された多芯筆記具は、任意のノック部材(押子)を押し下げることによって、所望のリフィールの先端を軸筒の先端から突出させることができ、他のノック部材を軽く押し下げることによって、軸筒内にリフィールの先端をバネ力により素早く格納することができる。ノック部材の両側面には、長手方向に延在する左右一対のスライド片が設けられ、各スライド片は、軸筒の内部に設けられた凹状のガイドレール内を摺動する。このスライド片とガイドレールとの協働によって、ノック部材を前後方向に確実にスライドさせることができる。
【０００３】
【特許文献１】特開２００５−１１１８７６号公報
【発明の開示】
【発明が解決しようとする課題】
【０００４】  しかしながら、各スライド片は、直線的に長手方向に細長く延在する一本の突起物として、ノック部材に一体的に成形されているので、凹状のガイドレール内にゴミが入り込んだり、ガイドレールが変形したりすると、ガイドレールに沿ってスライド片が摺動し難くなるといった問題点があった。特に、ノック部材が完全に戻ったときにノック部材が軸筒に当たることによって生じる衝撃、いわゆるバックショックを小さくするためにバネ力を弱くするとバックショックの低減は達成されるが、凹状のガイドレール内にゴミが入り込んだり、ガイドレールが変形したりすると、ノック部材を完全に元の位置まで復帰させることができない場合がある。【０００５】
本発明は、ノック部材を確実に復帰させ、ノック部材に設けられたスライド片をガイドレールに沿って摺動させ易くした筆記具を提供することを目的とする。
【課題を解決するための手段】
【０００６】
本発明に係る筆記具は、軸筒の先端から出没するリフィールと、リフィールの後端に前端が連結されると共に、軸筒に設けられたガイドレールに沿って、軸筒の中心軸線方向にスライド自在なノック部材と、リフィールの周囲に巻回されるように配置され、一端が軸筒に係止されると共に、他端がノック部材に係止されて、ノック部材を復帰させる螺旋バネと、を備えた筆記具において、
ノック部材には、凹溝状のガイドレール内に入り込んでガイドレール内を摺動するスライド片が突出して形成され、
スライド片は、ノック部材の長手方向に延在すると共に、前側スライド片と後側スライド片とで前後に二分割されていることを特徴とする。
【０００７】
この筆記具においては、ガイドレール内にゴミが入り込んだ場合でも、前側スライド片と後側スライド片との間をゴミの収容部として機能させることができるので、スライド片をガイドレールに沿って摺動させ易くなる。しかも、スライド片の全長を維持しながら、スライド片がガイドレールの壁面に接触する面積を減らすことができ、このことによっても、スライド片をガイドレールに沿って摺動させ易くなる。そして、バックショック低減のために螺旋バネのバネ力を弱く設計しても、ノック部材を確実に且つスムーズに元の位置まで復帰させることができる。
【０００８】
また、前側スライド片の長手方向における後端部は、ノック部材の軸線に対して略３０度の傾斜面として形成され、後側スライド片の長手方向における前端部は、ノック部材の軸線に対して略３０度の傾斜面として形成されていると好適である。
スライド片がゴミの影響を受けにくい傾斜面の角度としては、略３０度が最適であると実験により確かめられた。
【発明の効果】
【０００９】
本発明によれば、ノック部材を確実に復帰させ、ノック部材に設けられたスライド片をガイドレールに沿って摺動させ易くできる。
【発明を実施するための最良の形態】
【００１０】
以下、図面を参照しつつ本発明に係る筆記具の好適な実施形態について詳細に説明する。なお、ペン先側を「前方側」として以下説明する。
【００１１】
図１及び図２に示されるように、多芯筆記具１は、４色のノック式筆記具である。このノック式多芯筆記具１は、４本のボールペン型のリフィール２と、各リフィール２を収容する樹脂製の軸筒４と、軸筒４の中心軸線Ｌ方向にスライド自在な３本の第1のノック部材６と、軸筒４の中心軸線Ｌ方向にスライド自在な第２のノック部材７にＵ字状の板バネ１２を介して連結された開閉式クリップ８と、軸筒４に固定された滑り止め用のグリップ９とを備えている。
【００１２】
軸筒４は、前軸４ａと後軸４ｂとからなり、前軸４ａの後側に設けられた雄ネジ部と後軸４ｂの前側に設けられた雌ネジ部との螺合によって、前軸４ａと後軸４ｂは連結されている。このように、軸筒４を前軸４ａと後軸４ｂとに二分割することで、前軸４ａを外してリフィール２を容易に交換することができ、前軸４ａと後軸４ｂの材質を異ならせることもできる。
【００１３】
さらに、軸筒４内には、第１及び第２のノック部材６，７を復帰させるための４本の螺旋バネ１５が収容され、リフィール２は螺旋バネ１５内に差し込まれている。そして、第１及び第２のノック部材６，７に復帰力を発生させるために、螺旋バネ１５の一端は軸筒４で係止され、螺旋バネ１５の他端は第１及び第２のノック部材６，７の先端に係止されている。
【００１４】
このような構成の多芯筆記具１では、第１のノック部材６及びクリップ８の何れかを指で押し下げることによって、軸筒４の先端開口４ｄから任意のリフィール２の先端を突出させることができる。そして、軸筒４から選択的に突出させたリフィール２の先端は、他のノック部材６又はクリップ８を指で軽く押し下げることにより、螺旋バネ１５の付勢力によって軸筒４内に格納することができる。
【００１５】
さらに、扁平で細長い形状を有する第１のノック部材６の外側(軸筒４側)の後端には、指掛け部６ａが形成され、第１のノック部材６の内側（中心軸線Ｌ側）には、略中央から後端に向かって延在するガイド片６ｂが形成されている。そして、このガイド片６ｂの直線的な遊端には、断面三角形状の前側突起６ｃ及び後側突起６ｄが並設されている。また、第２のノック部材７も同様に、ガイド片７ｂ、前側突起７ｃ及び後側突起７ｄが設けられている。
【００１６】
また、軸筒４の後部には４本のガイド溝１０が形成され、４本のガイド溝１０のうちの３本のガイド溝１０ａに沿って樹脂製の第１のノック部材６のガイド片６ｂが摺動し、各ノック部材６の先端に形成された鏃状のリフィール装填部６ｅは、リフィール２の後端の開口に圧入されている。また、他のガイド溝１０ｂに沿って樹脂製の第２のノック部材７のガイド片７ｂが摺動し、第２のノック部材７には、Ｕ字状の板バネ１２を介してクリップ８が連結され、第２のノック部材７の先端に形成された鏃状のリフィール装填部７ｅは、リフィール２の後端の開口に圧入されている。
【００１７】
さらに、第１のノック部材６の外側の後端で、ガイド片６ｂと指掛け部６ａとの間には、スライド片２０が設けられ、このスライド片２０は、第１のノック部材の長手方向に延在すると共に、第１のノック部材６の両側面６ｆからそれぞれ突出する。左右一対のスライド片２０は、軸筒４の後部に形成された凹状の各ガイドレール２５内に入り込んでガイドレール２５に沿って摺動する。各ガイドレール２５は、ガイド溝１０に摺動面４ｃ(図３参照)を介して隣接すると共に、ガイド溝１０に対して並行に延在する。
【００１８】
図２及び図４に示されるように、スライド片２０は、ノック部材６の長手方向に延在する前側スライド片２１と、ノック部材６の長手方向に延在する後側スライド片２２とで前後に二分割されている。前側スライド片２１と後側スライド片２２は、直線状のガイドレール２５に沿って摺動させるために、一直線状に整列されている。
【００１９】
この筆記具１においては、ガイドレール２５内にゴミが入り込んだ場合でも、前側スライド片２１と後側スライド片２２との間をゴミの収容部として機能させることができるので、スライド片２０をガイドレール２５に沿って摺動させ易い。しかも、スライド片２０の全長を維持しながら、スライド片２０がガイドレール２５の壁面に接触する面積を減らすことができ、このことによっても、スライド片２０をガイドレール２５に沿って摺動させ易くなる。そして、バックショック低減のために螺旋バネ１５のバネ力を弱く設計しても、第１のノック部材６を確実に且つスムーズに元の位置まで復帰させることができる。
【００２０】
さらに、図４及び図５に示されるように、前側スライド片２１の長手方向における後端部は、ノック部材６の軸線Ｒに対する角度αが略３０度の傾斜面２１ａとして形成されている。同様に、後側スライド片２２の長手方向における前端部は、ノック部材６の軸線Ｒに対する角度βが略３０度の傾斜面２２ａとして形成されている。この略３０度の角度α，βは、スライド片２０がガイドレール２５内で摺動する際に、ゴミが前側スライド片２１と後側スライド片２２と間に入り込んでも、ゴミの影響を受けにくい角度として実験により確かめられている。
【００２１】
なお、第２のノック部材７にも第１のノック部材６と同様のスライド片２０が形成されており、作用効果は、第１のノック部材６と同様である。
【図面の簡単な説明】
【００２２】
【図１】本発明に係る筆記具の一実施形態を示す断面図である。
【図２】リフィール、螺旋バネ及びノック部材を示す斜視図である。
【図３】図１のIII−III線に沿う断面図である。
【図４】ノック部材の側面図である。
【図５】図４の矢印Ａ方向から見た図である。
【符号の説明】
【００２３】
１…筆記具、２…リフィール、４…軸筒、６，７…ノック部材、１５…螺旋バネ、２０…スライド片、２１…前側スライド片、２１ａ…傾斜面、２２…後側スライド片、２２ａ…傾斜面、２５…ガイドレール、Ｌ…軸筒の中心軸線、Ｒ…ノック部材の軸線、α，β…傾斜面の角度。
【図１】
0004989381.tif 000002
【図２】
0004989381.tif 000003
【図３】
0004989381.tif 000004
【図４】
0004989381.tif 000005
【図５】
0004989381.tif 000006